(57)【要約】  壁部（２）の後部に位置する受入部（３）への差込用、及び受入部（３）との電気的な接触用のブッシング（１）であり、差込部（５）及び差込部（５）に向き合って位置する頭部（６）を有する絶縁体部（４）を含み、絶縁体部（４）内に、導体（７）が受け入れられており、導体（７）は少なくとも頭部（６）から差込部（５）まで延びており、絶縁体部（４）は、固定用継手（８）を通して案内され、及び固定用継手（８）の両側に延びており、これにより差込部（５）及び頭部（６）は、固定用継手（８）の異なる側に位置しているブッシング（１）が、高い機械的安定性、及び柔軟性を壁部のブッシングに問題無く与え、及び壁部と可逆的にしっかりと結合可能なブッシングを提供するという本発明の課題として考慮されており、そして絶縁体部（４）は、弾性でエラストマーの材料で単一体的に作られており、絶縁体部（４）内には、フィールド操作体（１３）が組み入られており、及びフィールド操作体（１３）は、固定用継手（８）を通って、差込部（５）から頭部（６）まで、連続的に延びていることを特徴としている。
2020530193.tif 000002
【特許請求の範囲】
【請求項１】
壁部（２）の後部に位置する受入部（３）への差込用、及び受入部（３）との電気的な接触用のブッシング（１）であり、
差込部（５）及び差込部（５）に向き合って位置する頭部（６）を有する絶縁体部（４）を含み、
絶縁体部（４）内に、導体（７）が受け入れられており、導体（７）は少なくとも頭部（６）から差込部（５）まで延びており、
絶縁体部（４）は、固定用継手（８）を通して案内され、及び固定用継手（８）の両側に延びており、これにより差込部（５）及び頭部（６）は、固定用継手（８）の異なる側に位置しているブッシング（１）であって、
絶縁体部（４）は、弾性でエラストマーの材料で単一体的に作られており、絶縁体部（４）内には、フィールド操作体（１３）が組み入れられており、及びフィールド操作体（１３）は、固定用継手（８）を通って、差込部（５）から頭部（６）まで、連続的に延びていることを特徴とするブッシング（１）。
【請求項２】
固定用継手（８、８ａ、８ｂ）が、単一体として、又は複数部分に分かれて形成されており、及び／又は壁部（２）又はアダプタープレート（１０）における、可逆的な固定用の手段を有することを特徴とする請求項１に記載のブッシング。
【請求項３】
固定用継手（８）が、差込部（５）の側で、アダプタープレート（１０）と隣接しており、及び／又はこれと結合していることを特徴とする請求項１又は２に記載のブッシング。
【請求項４】
固定用継手（８）又は固定用継手の部分（８ａ）が、フィールド操作体（１３）と結合しており、固定用継手（８）又は固定用継手の部分（８ａ）、及び／又はフィールド操作体（１３）が、予め作成された要素として絶縁体部（４）内に組み入れられていることを特徴とする請求項１〜３の何れか１項に記載のブッシング。
【請求項５】
固定用継手（８）又は固定用継手の部分（８ａ）内に、少なくとも一つのバネ手段（１６）が少なくとも部分的に受け入れられており、バネ手段（１６）は、伸長の際、差込部（５）の方向にバネ力を発揮することを特徴とする請求項１〜４の何れか１項に記載のブッシング。
【請求項６】
固定用継手の管状ドーム（８ｃ）、又は固定用継手の部分（８ａ）内に、１つ又は複数の袋状の穴（１７）が形成されており、該１つ又は複数の袋状の穴には、１つ又は複数のバネ手段（１６）が受け入れられており、前記１つ又は複数のバネ手段（１６）は、１つ又は複数の管状のバネ束として形成されており、及び、差込部（５）の方向に伸長可能であることを特徴とする請求項５に記載のブッシング。
【請求項７】
フィールド操作体（１３）が、単一体として、又は複数部分に分かれて形成された押圧スライドさや（１８）によって囲まれており、押圧スライドさや（１８）は、バネ手段（１６）が押圧スライドさや（１８）上で軸方向に、バネ力を発揮することによって、フィールド操作体（１３）を、絶縁体部（４）に対して半径方向に、及び／又は軸方向に押圧することを特徴とする請求項５又は６に記載のブッシング。
【請求項８】
フィールド操作体（１３）が、差込部側の端部で、半径方向に突出しており、及び絶縁体部（４）の差込部側の肉厚部と、半径方向及び軸方向に隣接していることを特徴とする請求項１〜７の何れか１項に記載のブッシング。
【請求項９】
絶縁体部（４）が、頭部（６）において、絶縁体部延長部（９）によってモジュール的に延長されており、絶縁体部延長部（９）は、頭部（６）と、形状決定的に、力決定的に、及び／又は物質決定的に結合しており、及び／又は斜角部（９ａ）が、絶縁体部（４）及び／又は絶縁体部延長部（９）に備えられていることを特徴とする請求項１〜８の何れか１項に記載のブッシング。
【請求項１０】
変圧器（トランス）又は流動体が詰められた変圧器以外の装置、例えばスイッチギア、及び請求項１〜９の何れか１項に記載のブッシングを含む配置構成。
【発明の詳細な説明】
【技術分野】
【０００１】
本発明は、特許請求項１の上位概念に従うブッシングに関する。
【背景技術】
【０００２】
ブッシング（フィードスルー）は、連続的な導体を備えており、この導体は、隔壁、例えば変圧器（トランス）又は流動体が詰められた変圧器以外の装置、例えばスイッチギアの両側に延びている。
【０００３】
この技術背景において、管状端部を有する空洞体が、隔壁の開口部に組み込められるブッシングが製造されることが、特許文献１（ＤＥ２００３７５１Ａ）から公知である。ここで、空洞体及びこの中に受け入れられる導体においてフォームが形成され、フォームが隔壁について後方でつかむ構成を形成し、そして空洞体が隔壁に固定されるものである。しかしながら、テストを容易に実施できるようにするために、穿孔部を有する隔壁部又は壁部において、ブッシュが速やかに取り外し可能であるように配置されていることが、実際にはしばしば望ましい。テスト終了した後、ブッシングは容易に取り外すことが可能であるべきである。
【０００４】
この技術分野において、特許文献２（ＤＥ１９６５３５２７Ｃ１）から、中心を通る導体又はボルトを備えたブッシングが公知であり、このブッシングは、鋳造プラスチック、磁器でできた絶縁体（碍子）、又はシリコーンでできた絶縁体も固定用継手の所定の側に延びている。固定用継手の他方側には、脚部が設けられている。
【０００５】
脚部の巻かい箇所が繊維帯として形成されている。脚部分の内側のエネルギーを解放する際、変圧器（トランス）の方向への破裂を回避する必要がある。このようなブッシュの作成は、費用がかかり、コスト高になる。この理由は、変圧器側の端部が巻き付けによって形成されなければならず、これには費用がかかるからである。
【０００６】
コスト高になることを回避するために、鋳造プラスチックから構成された絶縁体を有するブッシングを使用し、及び絶縁体の上に絶縁されたプレートをねじ留めする構成が特許文献３（ＤＥ１９２９５７０Ｕ）から公知である。
【先行技術文献】
【特許文献】
【０００７】
【特許文献１】ＤＥ２００３７５１Ａ
【特許文献２】ＤＥ１９６５３５２７Ｃ１
【特許文献３】ＤＥ１９２９５７０Ｕ
【発明の概要】
【発明が解決しようとする課題】
【０００８】
プレートを使用することによって、ブッシングが壁に取り付けられる。プレートは、パッキンの間に受け入れられ、及び固定ねじを使用してねじ締めされる。絶縁体の内側では、（再び）電導性導体が受け入れられている。しかしながら、鋳造プラスチック及びこの文献に記載された磁器が比較的もろく、壊れやすい。更に、パッキンは高価であり、及び据え付けには費用がかかる。
【０００９】
本発明は従って、より高い機械的強度及び柔軟性を、所定の壁部のブッシングに問題無くもたらすことが可能であり、及び壁に可逆的に（取外し可能に）しっかりと結合させることができるブッシングを提供することを目的とする。
【課題を解決するための手段】
【００１０】
本発明は特に、請求項１の特徴的構成で上述した課題を解決する。
【発明を実施するための形態】
【００１１】
本発明に従い、ブッシングは、弾性でエラストマーの材料を含み、一体的な注型によって問題無く製造可能である。従来技術の上述した解決手段とは対照的に、このようなブッシングは、単一的な絶縁体部を含み、該絶縁体部は、ブッシングの内側と外側の電気的なフィールドコントロールを請け負う。絶縁体部は、差込部分に包帯（サポーター）製の巻物（巻かい部）を有してはならず、又は差込部分を包帯製の巻物で構成してはならない。これにより、多くの作業工程を節約可能になる。
【００１２】
更に、本発明は、包帯製の巻物を使用した上記従来技術の課題解決に貢献する、追加的に必要とされる絶縁体部に関する。上述した解決手段において、絶縁体部によって達成される外部張力の強度の確保は、単一体的に注型される絶縁体部の対応する造型によって、問題なく後に形成され、そして達成される。
【００１３】
更に、このような絶縁体部に余白部分又は空所を与えることが可能であり、このような箇所に他の要素、例えばフィールド操作体又はこれに類似するものを、その作成前、又は後に設けることができることが理解される。絶縁体部の幾何学的形状は、実施が容易なものである。
【００１４】
最後に、弾性を有する絶縁体部は、機械的に安定で、及び頑丈であるが、それにも拘わらず、他の部材を収容するために、及び／又はこれを使用して所定の壁部に組み込むために容易に変形させることができると理解される。本発明のブッシングは、受入部又は絶縁体（碍子）に問題無く差し込むことができる。
【００１５】
絶縁体部の材料は、シリコーン又はエチレン−プロピレン−ジエン−弾性ゴム（ＥＰＤＭ）で形成することができる。これらの材料は、容易に注型可能であり、及び他の部材と物質決定的に結合させることが容易である。更に、これらは弾性を有し、頑丈であり、及び可逆的に変形可能である。
【００１６】
固定用継手は、単一体的に形成されるか、又は幾つかの部分に分かれて形成されることが可能であり、及び／又は壁部又はアダプタープレートに可逆的に固定する手段を有することが可能である。これにより、固定用継手をモジュールに（構成要素に分けて）形成することができる。半径方向内側部分は、フィールド操作体と結合することが可能であり、ここで別個の半径方向外側部分にはネジ手段又は穴が設けられており、これらは既にしっかりと据え付けられたフィッティング（栓）と調和されている。かくして半径方向内側部分は絶縁体部上で、及び半径方向外側部分は、壁部にしっかりと据え付けられたフィッティング上で調整されていることができる。
【００１７】
これらの背景において、固定用継手は差込部の側で、別個のアダプタープレートに隣接し、及び／又はこれと結合しているか、又は結合可能であることが考えられ得る。アダプタープレートによって、受入部内での差込部の挿入深さ及びこれによって導体の挿入深さをセット（調整）することができる。これにより、導体の信頼性の有る電気的接触が、確実に設定される。
【００１８】
固定用継手又は固定用継手の一部が、フィールド操作体と結合していることが可能であり、ここで、固定用継手又は上記一部、及び／又はフィールド操作体が、事前に作成された要素として、絶縁体部内で一体化されている。これらの具体的な実施形態によって、フィールド操作体をモジュール的に選択可能であり、このようなフィールド操作体は、各場合において支配的な張力、及び装置による特性に正当に適合する。一例として、異なるトランス（変圧器）又は流動体が詰められた変圧器以外の装置、例えばスイッチギアが結合している異なるブッシングのために、異なるフィールド操作体が選択される。
【００１９】
フィールド操作体は好ましくは、固定用継手と、又は固定用継手の一部と、物質決定的に結合している。好ましくはフィールド操作体は、固定用継手と、又は上述した部分と、鋳合わされているか、又は射出成型されている。固定用継手又はその一部はフィールド操作体と、締付けによって結合されていることも可能である。
【００２０】
フィールド操作体は、導電性の、又は屈折性の、又は導体的な特性及び張力（応力）を低減する又は制限する特性を有する、弾性でエラストマー（伸縮性）の材料から作成することが可能であるフィールド操作体は、シリコーン（ケイ素樹脂）から作成することが可能である。この替わりに、フィールド操作体は、金属性の材料から作成することも可能である。
【００２１】
絶縁体部内に組入れられたフィールド操作体は、好ましくは、受入部内、又は絶縁体（碍子）内の、差込部側の端部から、絶縁体部の空気に囲まれた頭部にまで突き出ており、ここでフィールド操作体は一個体の状態で、固定用継手を通って案内されている。固定用継手、又は固定用継手の一部には、少なくとも１個のバネ手段が、少なくとも部分的に受け入れられていることが可能であり、ここで、上記バネ手段は、伸長する際、差込部の方向にバネ力を発揮する。バネ力によって、弾性（伸縮性）であることが好ましいフィールド操作体は、受入部内、又は絶縁体（碍子）内で、（絶縁体部の外壁、及び受入部又は絶縁体（碍子）の間に空隙部分が残ることなく）可能な限り狭く（ぴったりと）押し付けることができる。
【００２２】
この背景において、固定用継手の管状ドーム、又は固定用継手の部分内に、少なくとも１つの袋状の穴が形成されており、この袋状の穴には、１つ又は複数のバネ手段が受け入れられており、この１つ又は複数のバネ手段は、１つ又は複数の管状のバネ束として形成されており、及び差込部の方向に伸長可能である。
【００２３】
好ましくは、幾つかのこのようなバネ束が相互に平行に、それぞれ袋状の穴に配置されているか、又は唯一つの直径に適合されたバネ要素が設けられており、これらは弾性の絶縁体部の絶縁体（碍子）の壁部における、可能な限り間隙の無い構成を、ぐるりと環状に連続的に確実にするためのものである。バネ手段は、その袋状の穴の床部で頭部が良好に支持されており、及び差込部の方向にバネ力を作用させることができる。
【００２４】
組み入れられたフィールド操作体の差込部側の端部において、絶縁体部を、単一体として又は複数部分に分かれて形成された押圧スライドさやで囲むことが可能である。そして１つ又は複数のバネ手段が、押圧スライドさや上に軸方向にバネ力を作用させることによって、押圧スライドさやは、絶縁体部を半径方向に、及び／又は軸方向に、受入部に対して又は絶縁体（碍子）に対して押圧する。
【００２５】
押圧スライドさやは、バネ手段の差込部側の端部のために良好な迫台を提供し、及びそのバネ力を特に半径方向に導く（迂回させる）。これは、弾性の絶縁体部を、絶縁体（碍子）の壁部に対して可能な限り間隙を無くした状態で押圧するためである。
【００２６】
好ましくは、押圧スライドさやは、２個の半殻（半分の殻）から構成される。２個の半殻は、フィールド操作体の周囲に容易に配置することを可能とし、そして相互に組み合わせることができる。
【００２７】
フィールド操作体は、差込部側の端部において、半径方向（放射方向）に突き出ていることが可能であり、及び絶縁体部の差込部側の肉厚部と、半径方向及び軸方向に隣接していることが可能である。これにより、電場が特に良好に操作される。
【００２８】
絶縁体部は、頭部で、絶縁体部延長部によってモジュール的に延長させることが可能であり、ここで、上記絶縁体部延長部は頭部と、形状決定的に、力決定的に、及び／又は物質決定的に結合されている。絶縁体部延長部は、別個の構成部分として、絶縁体部に、ないしは絶縁体上に形状決定的に延長されていて良く、及び／又は貼り付けられていても良い。好ましくは、接着剤として特殊なエラストマー（伸縮性合成樹脂）が使用される。絶縁体部延長部は、好ましくは、絶縁体部と同様の材料で作られている。絶縁体部自体は、好ましくは、絶縁体部延長部の方向に円錐状に伸長して形成されており、ここで、絶縁体部延長部は、シリンダー状に形成されていることが可能である。これによって、外気側で(freiluftseitig)ブッシングの全体的にスリムな構成が得られる。１個又は複数個の斜角部を、絶縁体部、及び／又は絶縁体部延長部に設けることが可能である。これにより絶縁体部及び絶縁体延長部の結語、特に相互延長が容易化される。
【００２９】
所定の配置構成が、変圧器（トランス）又は流動体が詰められた変圧器以外の装置、例えばスイッチギア、及び本願記載の類のブッシングを含むことが可能である。ここで、ブッシング、及び／又は変圧器又は他の装置の個々の特徴は、相互に結合されることが考えられる。
【００３０】
このような配置構成は、テストの容易な実施を許容し、又はしかしながら変圧器ないしは上述した他の装置における耐久性のある接続をも許容する。
【図面の簡単な説明】
【００３１】
以下に図を説明する；
【図１】図１は、ブッシング及び穿孔部を有する壁部を含む配置構成の断面図であり、ブッシングには、しっかりと搭載された装備が組み込まれており、ブッシングは、その差込部によって穿孔部に差し込まれており、及びその導体部によって電気的に接触しつつ、フィッティング（栓）の受入部に差し込まれている。
【図２】図２は、結合箇所の詳細図であり、図１に示したブッシングの絶縁体部が絶縁体部延長部とくっつき合わされた状態を示した図である。
【図３】図３は、２部分で構成された固定用継手の断面図であり、その半径方向内側部分に、フィールド操作体が設けられ、及びドームに袋状の穴が設けられており、及び半径方向外側部分が内側部分を包み込んでいる状態を示した図である。
【図４】図４は、固定用継手と結合しているシリコーン製の絶縁体部の遠近法的な図である。
【図５】図５は、ブッシングが設けられた配置構成の２枚の図であり、その絶縁体部が絶縁体部延長部と結合している状態を示した図である。
【図６】図６は、配置構成の分解図であり、同図では、フィッティング及びブッシングが設けられた壁部が含まれており、壁部はブッシングの固定用継手と可逆的に結合する。
【図７】図７は、図６の配置構成の側面図であり、同図には押圧スライドさやが示されている。
【図８】図８は、図７の配置構成の側面図であり、同図には押圧スライドさやが付け加えられている。
【図９】図９は、図８の配置構成の側面図であり、同図ではブッシングが差し込まれている。
【００３２】
図１は、壁部２の後部に位置する受入部３に差込み、及びその電気的接触を形成するためのブッシング１を示している。ブッシング１は更に、フィッティング１１の絶縁体（碍子）に差し込まれている。
【００３３】
ブッシング１（フィードスルー１）は、差込部５及びこれと向き合って位置する頭部６を有する絶縁体部４を含み、絶縁体部４には、導体７が受け入れられており、導体７は、少なくとも頭部６から差込部５まで延びている。
【００３４】
導体７は、アルミニウム又は銅でできた管又は棒として形成されている。導体７は差込部５及び絶縁体部４から突き出ている。
【００３５】
絶縁体部４は、固定用継手８を通って案内されており、及び固定用継手８の両側に延びており、これにより差込部５及び頭部６は、固定用継手８の異なる側に位置している。
【００３６】
絶縁体４は、弾性でエラストマーの材料で作られている。絶縁体４は、単一体的に形成されている。頭部６及び差込部５は、一部分的（単一体的）に鋳合わされているか、又は射出成型されている。
【００３７】
絶縁体部４は、弾性でエラストマーの材料で単一体的に作られており、絶縁体部４内には、導電性又はフィールド操作可能なフィールド操作体１３が組み込まれており、及びフィールド操作体１３は、固定用継手８を通って、差込部５から頭部６まで連続的に延びている。
導体７は受入部３と、電導的接触を形成している。絶縁体部４は、半径方向に突き出る傘状リップを有している。
固定用継手８は差込部５の側で、アダプタープレート１０と隣接しており、及びこれと結合している。アダプタープレート１０はまた、フィッティング１１と結合しており、フィッティング（栓）１１は、壁部２内の穿孔部１２内に、永続的に（耐久的に）組み込まれている。
【００３８】
フィッテイング１１は、壁部２にしっかりと配置され、及びモジュール的にアダプタープレート１０と結合可能であり、ここでその接続において、固定用継手８がアダプタープレート１１に固定される。
【００３９】
導体７のための受入部３は、フィッテイング１１の固定構成要素である。この点において、ここで示したブッシング１は、存在するフィッテイング１１に、特に試験目的で容易に据え付けることができる。
【００４０】
図２は、ブッシング１の絶縁体部４が、頭部６において、絶縁体部延長部９によってモジュール的に延長されている状態の詳細を示しており、ここで絶縁体部延長部９は、頭部６と物質決定的に結合している。
【００４１】
絶縁体部延長部９は、頭部６と、特殊なエラストマー（伸縮性合成樹脂）によって貼り付けられている。絶縁体部延長部９は、シリンダー状に形成されており、絶縁体部４は、円錐状に形成されている。斜角部９ａによって、絶縁体部４と絶縁体部延長部９の容易な差込接合が可能になる。
【００４２】
図３は、複数部分に分けて構成された固定用継手を示しており、すなわち、半径方向内側部８ａ、及び半径方向外側部分８ｂを示している。
【００４３】
図４に従う単一体的な固定用継手８又は図３に従う固定用継手の部分８ａは、フィールド操作体１３と結合しており、ここで単一体的な固定用継手８又は部分８ａ、及びフィールド操作体１３は、予め作成された構成要素として、絶縁体部４内に組み入れられている。
【００４４】
図４に従う固定用継手８は、正方形の、又は長方形のプレートとして形成されている。プレートは、円形形状であることも可能である。固定用継手８は、アダプタープレート１０に可逆的に固定するために、所定の手段、すなわち通路１５を有している。
【００４５】
図５には、壁部２及びブッシング１を示す配置構成が２つの図で表されている。
【００４６】
図３及び６は、固定用継手８又は固定用継手の部分８ａ内に、少なくとも１つのバネ手段１６が、少なくとも部分的に受け入れられている構成を示しており、バネ手段１６は、伸長において差込部５の方向にバネ力を発揮する。
【００４７】
図３は、複数部分に分けられた固定用継手の部分８ａの管状ドーム８ｃ内に、複数の袋状の穴１７が形成されている構成が具体的に示されており、穴１７にはバネ手段１７を受け入れることが可能である。
【００４８】
図６は、単一体的な固定用継手に関して、バネ手段１６が、管状のバネ束として形成されており、及び差込部５の方向に伸長可能であることを示している。
【００４９】
図６の領域１６ａは、幾つかのバネ手段１６が平行に並びあって配置され得ることを示唆している。
【００５０】
図６及び１は、フィールド操作体１３が、押圧スライドさや１８によって囲まれている構成を示しており、ここで、押圧スライドさや１８は、バネ手段１６が押圧スライドさや１８上で軸方向に、バネ力を発揮することによって、フィールド操作体１３を、絶縁体部４に対して半径方向に、及び／又は軸方向に押圧する。
【００５１】
図１及び３は、フィールド操作体１３が、差込部側の端部で、半径方向に突出しており、及び絶縁体部４の差込部側の肉厚部と、半径方向及び軸方向に隣接している構成を示している。
【００５２】
ここに記載されたブッシング１は、絶縁体部４を有し、絶縁体部４は、その断面領域について、差込部５に対して、及び頭部６に対して、固定用継手８を通って次第に細くなっている。これにより、絶縁体部４は固定用継手８と一緒に、周りを周回する空所１４を形成し、空所１４内には、フィールド操作体１３がはまり込み、及び絶縁体部４を包み込むことが可能である。
【００５３】
空所１４は、環状間隙状に、又は中ぐり（穿孔）として形成されている。空所１４は、絶縁体部４の頭部６の傘状リップを有していない部分内に主に形成される。該部分は、シリンダー状に形成されている。
【００５４】
図７〜９は、変圧器（トランス）を備えた配置構成を、組立の幾つかの局面で示している。図９は、据え付けが完了した配置構成を示しており、該配置構成は、壁部２を有する変圧器（トランス）１９を含んでおり、壁部２には、フィッティング１１が永続的に（耐久的に）配置されており、及び本願記載のブッシング１が固定用継手８を手段として、フィッティング１１に固定されている。
【００５５】
好ましくは、アダプタープレート１０がフィッティング１１と固定用継手８の間に配置されている。アダプタープレート１０は、固定用継手８とは別個の部材として形成されている。
【００５６】
符号の説明
１  ブッシング
２  壁部
３  受入部
４  絶縁体部
５  差込部
６  頭部
７  導体
８  単一体状の固定用継手（複数部分状のものは、８ａ及び８ｂとして記載されている）
８ｃ  ８又は８ａのドーム
９  絶縁体部延長部
９ａ  斜角部
１０  アダプタープレート
１１  受入部及び絶縁体（碍子）を有するフィッティング
１２  穿孔部
１３  フィールド操作体
１４  空所、環状状態
１５  通路
１６  バネ手段
１７  袋状の穴
１８  押圧スライドさや
１９  変圧器（トランス）
【図１】
2020530193.tif 000003
【図２】
2020530193.tif 000004
【図３】
2020530193.tif 000005
【図４】
2020530193.tif 000006
【図５】
2020530193.tif 000007
【図６】
2020530193.tif 000008
【図７】
2020530193.tif 000009
【図８】
2020530193.tif 000010
【図９】
2020530193.tif 000011
【国際調査報告】
2020530193.tif 000012
2020530193.tif 000013
2020530193.tif 000014
2020530193.tif 000015
2020530193.tif 000016